(57)【要約】【課題】  地上デジタル放送受信装置においてＴＳバッファ部等のＬＳＩに内蔵されるＳＲＡＭの使用量を減少させることで、ＬＳＩ等の回路規模を縮小させ、消費電力を抑制する。【解決手段】  パケットの配置がモデル受信機により規定された多重化ストリームの受信データに対して時間デインタリーブ処理を実施するための大容量メモリ４０と、受信データを時間インタリーブの規則に従ってサンプルクロック毎に大容量メモリ４０に書き込む書込制御部４１と、大容量メモリ４０に書き込まれた受信データをＴＳ再生部１０ａ〜１０ｂの処理内容に基づいて選択し、ＴＳ再生部１０ａ〜１０ｂにおいて選択された受信データに処理が実施されるタイミングを予め演算し、選択された受信データを演算されたタイミングで大容量メモリ４０から読み出す読出制御部４２ａとを備える。【選択図】  図５      
2005318374.tif 000002
【特許請求の範囲】
【請求項１】
パケットの配置がモデル受信機により規定された複数のトランスポートストリームが多重化された多重化ストリームである受信データに対し、時間デインタリーブ処理を実施するための大容量メモリと、
前記多重化ストリームの受信データを、送信側で実施された時間インタリーブの規則に従って、サンプルクロック毎に前記大容量メモリに格納位置を切り替えて書き込む書込制御部と、
前記大容量メモリに書き込まれた受信データを、前記大容量メモリの後段に設けられた少なくとも一つのデータ処理部の処理内容に基づいて選択し、該後段のデータ処理部において前記選択された受信データに処理が実施されるタイミングあるいは処理後のデータが出力されるタイミングを予め演算し、前記選択された受信データを前記演算されたタイミングで前記大容量メモリから読み出す読出制御部と
を備えることを特徴とするデジタル放送受信装置。
【請求項２】
前記多重化ストリームの受信データには、伝送特性の異なる複数の階層を同時に伝送する階層伝送が可能であるように階層情報が指定され、
前記受信データが前記後段のデータ処理部に至る転送経路および該データ処理部の構成の少なくとも一部は、前記各階層が指定された受信データを並列処理が可能であるように複数列の階層毎転送経路に構成され、
前記読出制御部は、
前記大容量メモリに書き込まれた受信データを、前記大容量メモリの後段に設けられたデータ処理部の処理内容および受信データの転送経路の構成に基づいて選択し、前記選択されたデータが前記階層毎転送経路を経て前記後段のデータ処理部で処理が実施されるタイミングを演算して読み出す
ことを特徴とする請求項１に記載のデジタル放送受信装置
【請求項３】
前記データ処理部は、
前記トランスポートストリームの受信データを１データパケット分毎に出力するか、あるいは、ヌルパケットを出力するトランスポートストリーム再生部であり、
前記読出制御部は、
トランスポートストリーム再生部から出力されるトランスポートストリームパケットの出力順に従って選択し、前記各階層毎転送経路から前記トランスポートストリーム再生部にデータが出力されるタイミングを演算して読み出す
ことを特徴とする請求項２に記載のデジタル放送受信装置。
【請求項４】
前記複数列の階層毎転送経路には、
前記受信データを前記階層毎転送経路に分割させる階層分割部と、
前記階層毎転送経路で処理された各受信データを合成する階層合成部と、
前記階層毎転送経路から前記階層合成部に入力させる受信データを選択する切り替え部と
を備えることを特徴とする請求項２または３に記載のデジタル放送受信装置。
【請求項５】
前記データ処理部は、
前記受信データに対して、送信側でパンクチュアード処理された際の符号化率によりデパンクチュアード処理を実施するように、前記各階層毎転送経路に設けられるデパンクチュアード部であり、
前記読出制御部は、
前記各階層毎転送経路の各々に対応する受信データを選択し、前記デパンクチュアード部から前記符号化率に従ってデパンクチュアード処理されたデータが前記階層合成部に出力されるタイミングを演算して読み出す
ことを特徴とする請求項４に記載のデジタル放送受信装置。
【請求項６】
前記データ処理部は、
前記受信データに対して、ビットデインターリーブ処理を実施するように、前記各階層毎転送経路に設けられるビットデインターリーブ部であり、
前記読出制御部は、
前記各階層毎転送経路の各々に対応する受信データを選択し、前記ビットデインターリーブ部で変調方式に基づいてビットデインターリーブ処理されたデータが前記階層合成部に向けて出力されるタイミングを演算して読み出す
ことを特徴とする請求項４または５に記載のデジタル放送受信装置。
【請求項７】
前記大容量メモリは、ダイナミックランダムアクセスメモリ（ＤＲＡＭ）であり、
前記サンプルクロックは、ＦＦＴ（高速フーリエ変換）サンプルクロックである
ことを特徴とする請求項１〜６の何れか１項に記載のデジタル放送受信装置。
【請求項８】
パケットの配置がモデル受信機により規定された複数のトランスポートストリームが多重化された多重化ストリームである受信データに対し、時間デインタリーブ処理を実施するための大容量メモリと、その読出制御部を備えるデジタル放送受信装置において、
前記読出制御部の処理ステップには、
前記大容量メモリに書き込まれた受信データを、前記大容量メモリの後段に設けられた少なくとも一つのデータ処理部の処理内容に基づいて選択するステップと、
前記後段のデータ処理部において前記選択された受信データに処理が実施されるタイミングあるいは処理後のデータが出力されるタイミングを予め演算するステップと、
前記選択された受信データを前記演算されたタイミングで前記大容量メモリから読み出すステップと
を有することを特徴とするデジタル放送受信方法。
【請求項９】
前記デジタル放送受信装置における、前記受信データが前記後段のデータ処理部に至る転送経路および該データ処理部の構成の少なくとも一部が、前記各階層が指定された受信データを並列処理が可能であるように複数列の階層毎転送経路に構成され、
前記読出制御部の処理ステップにおいて、
前記大容量メモリに書き込まれた受信データを選択する前記ステップでは、前記大容量メモリの後段に設けられたデータ処理部の処理内容および受信データの転送経路構成に基づいて選択し、
前記選択された受信データを読み出す前記ステップでは、前記階層毎転送経路を経て前記後段のデータ処理部で処理が実施されるタイミングを演算して読み出す
ことを特徴とする請求項８に記載のデジタル放送受信方法。
【請求項１０】
前記データ処理部は、
前記トランスポートストリームの受信データを１データパケット分毎に出力するか、あるいは、ヌルパケットを出力するトランスポートストリーム再生部であり、
前記読出制御部の処理ステップにおいて、
前記大容量メモリに書き込まれた受信データを選択する前記ステップでは、トランスポートストリーム再生部から出力されるトランスポートストリームパケットの出力順に従って選択し、
前記選択された受信データを読み出す前記ステップでは、前記各階層毎転送経路から前記トランスポートストリーム再生部にデータが出力されるタイミングを演算して読み出す
ことを特徴とする請求項９に記載のデジタル放送受信方法。
【請求項１１】
前記データ処理部は、
前記受信データに対して、送信側でパンクチュアード処理された際の符号化率によりデパンクチュアード処理を実施するように、前記各階層毎転送経路に設けられるデパンクチュアード部であり、
前記読出制御部の処理ステップにおいて、
前記大容量メモリに書き込まれた受信データを選択する前記ステップでは、前記各階層毎転送経路の各々に対応する受信データを選択し、
前記選択された受信データを読み出す前記ステップでは、前記デパンクチュアード部から前記符号化率に従ってデパンクチュアード処理されたデータが階層合成されるために出力されるタイミングを演算して読み出す
ことを特徴とする請求項１０に記載のデジタル放送受信方法。
【請求項１２】
前記データ処理部は、
前記受信データに対して、ビットデインターリーブ処理を実施するように、前記各階層毎転送経路に設けられるビットデインターリーブ部であり、
前記読出制御部の処理ステップにおいて、
前記大容量メモリに書き込まれた受信データを選択する前記ステップでは、前記各階層毎転送経路の各々に対応する受信データを選択し、
前記選択された受信データを読み出す前記ステップでは、前記ビットデインターリーブ部で変調方式に基づいてビットデインターリーブ処理されたデータが階層合成されるために出力されるタイミングを演算して読み出す
ことを特徴とする請求項１０または１１に記載のデジタル放送受信方法。
【発明の詳細な説明】
【技術分野】
【０００１】
本発明は、モデル受信機によりパケットの配置が規定された複数のトランスポートストリームが多重化されたデジタル放送の多重化ストリームの受信データを復号するデジタル放送受信装置に関する。
【背景技術】
【０００２】
日本における地上デジタル放送ＩＳＤＢ−Ｔ（サービス統合地上デジタル放送）は、ＭＰＥＧ−２システムで規定されたトランスポートストリーム（以下、ＴＳとも記載する）のデータの複数個のグループをデータセグメントとし、そのデータセグメントにパイロット信号が付加されたＯＦＤＭ（直交周波数分割多重）ブロック（又は、ＯＦＤＭセグメントとも記載する）を複数個組み合わせて送信される（例えば、非特許文献１参照）。ＴＳの構成は、受信側で非特許文献１に規定されたモデル受信機で再生されるＴＳの構成に基づき、受信側でモデル受信機と同等の動作が実施されることを前提として、トランスポートストリームパケット（以下、ＴＳＰとも記載する）の配置がＯＦＤＭ信号に適するようにして多重化される。
【０００３】
多重フレーム中のＴＳＰは、非特許文献１で規定されたＯＦＤＭ信号の３階層のいずれかで伝送されるものか、ＯＦＤＭ信号では伝送されないヌルパケットのいずれかに属する。多重フレーム中のＴＳＰ配置を上記のようにモデル受信機で再生されるＴＳの構成に基づいて規定することで、ＴＳＰ毎に複数の階層に分割されて伝送された信号から、受信側で、送信側で送信したものと同じＴＳを再生することができる。
【０００４】
また、非特許文献１に規定されたモデル受信機では、ＦＦＴ処理された受信データに対して、差動復調もしくはスキャッタードパイロットによる復調の処理が実施され、周波数デインタリーブ処理が行われ、時間デインタリーブ処理が行われる。時間デインタリーブ処理は、ＯＦＤＭフレーム間における畳み込みデインタリーブ処理であるので、最大２ＯＦＤＭフレーム程度の大容量のメモリが必要となる。時間デインタリーブ処理に使用されるメモリ素子は、安価で比較的大容量のＤＲＡＭ（ＳＤＲＡＭ等）を外付けで使用するのが一般的である。その後、受信データは、階層分割され、階層毎にビットデインタリーブ処理、及び、デパンクチュアード処理が実施され、階層バッファ部に蓄積される。階層バッファ部等の時間デインタリーブ処理以外の他の処理に使用されるメモリ素子は、要求される個々の容量が小さいため、ＬＳＩに内蔵される高価で比較的小容量のＳＲＡＭを使用するのが一般的である。
【０００５】
階層バッファ部に１パケット分のデータが入力された時点で階層合成部に接続されるスイッチが切り替えられて接続され、その後段に設けられたＴＳ再生部のＴＳバッファ部にデータが転送される。このデータ転送は瞬時に行われるものとする。ＴＳ再生部のＴＳ再生制御部では、１ＴＳＰ時間（４０８バイト時間。１ＴＳＰは２０４バイトであるが、畳み込み符号のマザーコードが１／２であるため、４０８バイトとなる。）毎にＴＳバッファ部をチェックし、１パケット以上のデータが蓄積されているときは１パケット分のデータを読み出し、ＴＳバッファ部にデータがない場合にはヌルパケットを送出する。
【０００６】
【非特許文献１】規格番号「ＡＲＩＢ  ＳＴＤ−Ｂ３１」、標準規格名「地上デジタルテレビジョン放送の伝送方式」、社団法人電波産業界（ＡＲＩＢ）、第１．５版（改定日：平成１５年７月２９日）、策定年月日：平成１３年５月３１日
【発明の開示】
【発明が解決しようとする課題】
【０００７】
上記したように地上デジタル放送の受信装置は、非特許文献１で規定されたモデル受信機に準じて構成する必要があるが、モデル受信機の通りに構成すると、例えば、階層バッファ部からＴＳ再生部のＴＳバッファ部に瞬時にデータが転送された場合、ＴＳバッファ部に格納されたデータがスイッチ等によりＴＳ再生制御部に出力されるまでには、ＴＳＰ時間の単位での待ち時間が発生する。ＴＳバッファ部には、その待ち時間の間、各階層バッファ部から転送されたデータを保持する必要があるため、相当な容量が必要とされる。このＴＳバッファ部の容量としては、最大で１６ＴＳＰ分のデータ容量が必要である。
【０００８】
ＴＳバッファ部に必要な記憶容量は、ＴＳバッファ部における１ＴＳＰデータが４０８バイトで構成されるので、次の式を演算することにより求めることができる。
（１６ビット×４０８バイト）×１６ＴＳＰ＝１０４Ｋビット
【０００９】
つまり、モデル受信機のＴＳバッファ部におけるＴＳ再生制御部への待ち時間に必要な記憶容量は１０４Ｋビットであるが、さらに、モデル受信機ではＴＳバッファ部がビタビ復号部の前段に配置されているので、例えば、ビタビ復号の精度を向上させるためには、１バイトのデータ幅を１６ビット以上にする必要がある。この場合にはＴＳバッファ部の記憶容量を１０４Ｋビットよりもさらに増大させる必要が生じる。言い換えれば、従来の地上デジタル放送受信装置においては、ＬＳＩに内蔵される高価なＳＲＡＭにより構成されるＴＳバッファ部に必要となる記憶容量を大きくする必要があり、ＴＳバッファ部のメモリ等の回路規模が増大することでＬＳＩ等の部品コストが増大してしまうという問題がある。
【００１０】
本発明は、上述した課題を解決するためになされたものであって、地上デジタル放送受信装置においてＴＳバッファ部等のＬＳＩに内蔵されるＳＲＡＭの使用量を減少させることで、ＬＳＩ等の回路規模を縮小させ、消費電力を抑制することを目的とする。
【課題を解決するための手段】
【００１１】
上記した目的を達成するために、本発明の地上デジタル放送受信装置では、
パケットの配置がモデル受信機により規定された複数のトランスポートストリームが多重化された多重化ストリームである受信データに対し、時間デインタリーブ処理を実施するための大容量メモリと、
多重化ストリームの受信データを、送信側で実施された時間インタリーブの規則に従って、サンプルクロック毎に大容量メモリに格納位置を切り替えて書き込む書込制御部と、
大容量メモリに書き込まれた受信データを、大容量メモリの後段に設けられた少なくとも一つのデータ処理部の処理内容に基づいて選択し、その後段のデータ処理部において選択された受信データに処理が実施されるタイミングあるいは処理後のデータが出力されるタイミングを予め演算し、選択された受信データを演算されたタイミングで大容量メモリから読み出す読出制御部とを備える。
【００１２】
また、本発明の地上デジタル放送受信方法では、
パケットの配置がモデル受信機により規定された複数のトランスポートストリームが多重化された多重化ストリームである受信データに対し、時間デインタリーブ処理を実施するための大容量メモリと、その読出制御部を備える地上デジタル放送受信装置において、
読出制御部の処理内容には、大容量メモリに書き込まれた受信データを、大容量メモリの後段に設けられた少なくとも一つのデータ処理部の処理内容に基づいて選択するステップと、
後段のデータ処理部において選択された受信データに処理が実施されるタイミングあるいは処理後のデータが出力されるタイミングを予め演算するステップと、
選択された受信データを演算されたタイミングで前記大容量メモリから読み出すステップとを有する。
【発明の効果】
【００１３】
本発明は、時間デインタリーブ処理を実施するための安価な大容量メモリから受信データの読み出しの制御において、大容量メモリの後段に設けられた少なくとも一つのデータ処理部の処理内容に基づいて受信データを選択し、その後段のデータ処理部において選択された受信データに処理が実施されるタイミングあるいは処理後のデータが出力されるタイミングを予め演算し、選択された受信データを演算されたタイミングで大容量メモリから読み出すようにしたので、ＴＳバッファ部等の高価なＬＳＩに内蔵されるＳＲＡＭの使用量を減少させることができ、ＬＳＩ等の回路規模を縮小させてコストダウンでき、消費電力も抑制することができるという効果を奏する。
【発明を実施するための最良の形態】
【００１４】
以下、本発明の実施の形態を図にもとづいて説明する。
【００１５】
実施の形態１．
本発明の実施の形態１を説明する前に、日本の地上デジタルテレビジョン放送の伝送方式の規格である、上記した非特許文献１に示された多重化ストリーム中のパケットの配置を規定するモデル受信機の構成および動作について説明する。
【００１６】
地上デジタル放送伝送方法では、階層伝送等、複数の伝送パラメータの混在が可能な方式となっているため、ＴＭＣＣ（Transmission  and  Multiplexing  Configuration  Control）信号により送信側から受信側にこれらの伝送パラメータの情報が伝送される。ＴＭＣＣ信号はデータ部および同期再生用等のパイロット信号とともにＯＦＤＭフレームとして構成される。ＯＦＤＭフレームの構成を終えた全信号は逆ＦＦＴ演算によりＯＦＤＭ送信信号に変換される。受信機側ではＴＭＣＣ信号を復調後、各階層の伝送パラメータにもとづいて主データの復調処理が実施される。
【００１７】
ＴＳは、Ｎ個のＴＳＰからなる多重フレームを基本単位として構成される。多重フレームを構成するＴＳＰの数（Ｎ）は、伝送パラメータにより異なる。多重フレーム長は、２０４バイトのＴＳＰを基本とし、伝送クロックをＦＦＴサンプルクロックの４倍とすることにより、ＯＦＤＭフレーム長と一致させることができる。多重フレーム中のＴＳＰは、ＯＦＤＭ信号の３階層の何れかで伝送されるパケットか、ＯＦＤＭ信号では伝送されないヌルパケットの何れかに属している。
【００１８】
図１は、非特許文献１に示された多重化ストリーム中のパケットの配置を規定するモデル受信機の構成を示すブロック図である。
このモデル受信機は、外部から受信したＯＦＤＭ変調信号から、キャリア、クロック等を再生すると共に、前記ＯＦＤＭ変調信号をＦＦＴ部１に出力する。
【００１９】
ＦＦＴ部１は、入力するＯＦＤＭ変調信号（受信信号）に対して高速フーリエ変換（ＦＦＴ）処理を実施する。なお、このモデル受信機に入力したＯＦＤＭ変調信号からは、別途の回路によりキャリアおよびクロックが再生されている。差動復調／同期復調部２では、ＦＦＴ処理された信号に対して差動復調処理、あるいは、スキャッタードパイロットによる復調処理を実施する。
【００２０】
送信側で階層合成された信号には、移動受信性能および耐マルチパス性能を確保するための時間インタリーブおよび周波数インタリーブが施される。時間インタリーブには、畳み込みインタリーブが採用され、インタリーブ長は階層毎に独立に指定が可能である。従って、受信側では、上記した送信側で実施された各処理を元に戻す処理が実施される。
【００２１】
周波数デインターリーブ部３は、送信側で周波数インターリーブ処理が実施された受信信号に対して、元に戻すように周波数デインターリーブ処理を実施する。時間デインターリーブ部４は、送信側で時間インターリーブ処理が実施された受信信号に対して、元に戻すように時間デインターリーブ処理を実施する。時間デインターリーブ部４には、その内部または付随するように時間デインターリーブ用メモリ４０、書込制御部４１、および、読出制御部４２が設けられている。
【００２２】
図２（ａ）、（ｂ）は、時間デインターリーブ部４の一例の概略構成を示すブロック図である。
時間デインターリーブ用メモリ４０の内部は、図２（ａ）に示すように、データセグメント内時間デインターリーブＮＯ．０、ＮＯ．１、ＮＯ．２  〜  ＮＯ．１２の１３個のブロックに分割されている。また、各データセグメント内時間デインターリーブの内部は、図２（ｂ）に示すように、さらに、モード毎に異なる数のシンボルバッファに分割されており、書込制御部４１および読出制御部４２は各シンボルバッファ毎にデータを入出力させることができる。シンボルバッファの数は、モード１では９６であり、モード２では１９２、モード３では３８４である。
【００２３】
時間デインターリーブ部４における処理は、まず、書込制御部４１により、多重化ストリームの受信データを、送信側で実施された地上デジタル放送の時間インタリーブの規則に従って、ＦＦＴのサンプルクロック毎に大容量のＤＲＡＭメモリである時間デインタリーブ用メモリ４０に格納位置を切り替えて書き込む。次に、読出制御部４２は、送信側で実施されたデジタル放送の時間インタリーブの規則に従って、図３に示すＯＦＤＭシンボル（図３については後述）となるように、ＦＦＴのサンプルクロック毎に時間デインタリーブ用メモリ４０に格納された受信データを順に読み出す。なお、時間デインタリーブはＯＦＤＭフレーム間での畳み込みデインタリーブであるので、時間デインタリーブ用メモリ４０には、最大２ＯＦＤＭフレーム程度のメモリが必要である。
【００２４】
時間インタリーブ処理は、動作的には畳み込みインタリーブ処理であるのでメモリ容量が多く必要であり、次の式に示すように、インタリーブ長（Ｉ）＝４、伝送モード（Ｍｏｄｅ）＝３である場合には、必要となるメモリの容量は９４８Ｋワードにもなる。
（９５＊４）＊（９６＊４＊１３）／２＝９４８４８０  ワード
例えば、１ワード１６ビットの場合、時間デインタリーブ処理に必要なメモリ容量は１５Ｍビット程度となる。このため、時間デインタリーブメモリとしては、１６Ｍビット、３２Ｍビット等の安価で大容量のＤＲＡＭ（ＳＤＲＡＭ等）を使用するのが一般的である。地上デジタル放送受信装置をＬＳＩで実現するような場合には、ＬＳＩ内部のＳＲＡＭは時間インターリーブ処理に使用せず、ＤＲＡＭを外付けで設けて時間デインタリーブ処理を行うことが多い。
【００２５】
ここで注意するべき点は、非特許文献１のモデル受信機の読出制御部４２では、ＦＦＴのサンプルクロック毎にＯＦＤＭシンボルとなるように読み出す制御を実施するのみであるが、以下に説明する本発明の各実施の形態では、詳しくは後述するように大容量メモリ（時間デインタリーブ用メモリ４０）の後段に設けられた少なくとも一つのデータ処理部の処理内容に基づいて読み出すデータを選択し、その後段のデータ処理部において選択された受信データに処理が実施されるタイミングあるいは処理後のデータが出力されるタイミングを予め演算し、選択された受信データを演算されたタイミングで大容量メモリから読み出すという相違がある点である。
【００２６】
図３は、地上デジタル放送のＯＦＤＭシンボルの一例の構成を示す図である。
図３のＯＦＤＭシンボルは、地上デジタル放送で送信のための時間／周波数インターリーブ処理が実施されていない状態を示し、ＭＰＥＧ−２システムで規定されるＴＳが複数個からなるデータのグループ（データセグメント）の単位（帯域）で構成される。このデータセグメントは、パイロット信号が付加されてＯＦＤＭブロック（ＯＦＤＭセグメント）となって、１３個組み合わせたＯＦＤＭシンボルが１チャンネル分として送信される。
【００２７】
ＭＰＥＧ−２システムで規定されるＴＳは、ＯＦＤＭ信号に適したＴＳＰの配置となるように多重される。この際、１８８バイト単位のバースト信号形式に変換され、１６バイトの外符号のパリティが付加される。
【００２８】
この１３個のＯＦＤＭセグメントは、高精細度テレビジョン（ＨＤＴＶ）の放送番組等に全て（音声番組１＋ハイビジョン番組１２等）使用してもよいが、伝送特性の異なる最大３階層（３番組）まで分割して使用することができる。つまり、地上デジタル放送方式では、伝送特性の異なる最大３つの階層を同時に伝送する階層伝送が可能である。各階層は、１つまたは複数のＯＦＤＭセグメントにより構成され、階層ごとにキャリア変調方式、内符号の符号化率、および時間インタリーブのパラメータ等を指定することが可能である。
【００２９】
図３は、Ａ階層に１個のＯＦＤＭセグメント、Ｂ階層に７個のＯＦＤＭセグメント、Ｃ階層に５個のＯＦＤＭセグメントを使用する場合の図である。
【００３０】
図１の階層分割部５は、時間デインタリーブされた受信データを上記した各階層毎に分割して送出する。各階層毎に設けられたビットデインタリーブ部６ａ、６ｂ、６ｃは、各階層毎に分割された受信データに対してビットデインタリーブ処理を実施して出力する。ビットデインターリーブ部６ａ、６ｂ、６ｃには、その内部にビットデインターリーブ用メモリ６０、不図示の書込制御部、および、不図示の読出制御部が設けられている。
【００３１】
図４は、ビットデインターリーブ部６ａ、６ｂ、６ｃの一例の概略構成を示すブロック図である。
地上デジタル放送のビットデインタリーブ処理は、例えば、図１の時間デインタリーブ部４から出力された階層毎のパラレルデータに対して、そのビット番号ごとに遅延量をかえたディレイラインにデータを入力させ、ディレイラインの出力を、再度、階層毎のパラレルデータとして出力するものである。ディレイラインの構成と容量は変調方式によって異なっており、変調方式としては、地上デジタル放送にはＤＱＰＳＫ、ＱＰＳＫ、１６ＱＡＭ、６４ＱＡＭの４種類があり、変調方式は階層ごとに選択される。図４は、変調方式が６４ＱＡＭの場合のビットデインタリーブ回路の一例を示している。
【００３２】
ビットデインターリーブ用メモリ６０の内部は、図４に示すように、入力されるビットに対して、１２０ビット遅延、９６ビット遅延、７２ビット遅延、４８ビット遅延、２４ビット遅延、および、遅延なしの６種類の遅延の何れかの処理を施して出力させるように６個の遅延処理ブロック（ディレイライン）に分割されている。また、不図示の書込制御部および不図示の読出制御部は、各ビット毎に何れかの遅延処理ブロックにデータを入出力させることができる。ビットデインターリーブ用メモリ６０は、上記した地上デジタル放送受信装置における時間デインターリーブ用メモリ以外のメモリであり、個々の容量が小さいため、ＬＳＩに内蔵可能なＳＲＡＭを使用するのが一般的である。
【００３３】
送信側で階層伝送を行う場合には、階層情報の指定に従って階層分割され、最大３系統の並列処理が行われる。この並列処理では、エネルギー拡散、バイトインタリーブ、畳み込み符号化（パンクチュアード処理）された後に、各階層に指定された方式によりビットインタリーブと変調マッピングからなるキャリア変調が施され、階層合成される。３つの各階層では、畳み込み符号化率、キャリア変調方式を独立に指定が可能である。従って、受信側では、上記した送信側で実施された各処理を元に戻す処理が実施される。
【００３４】
各ビットデインターリーブ部６ａ、６ｂ、６ｃにおける処理は、まず、不図示の書込制御部により、受信データの各ビットｂ０〜ｂ５を、ビットデインタリーブ用メモリ６０の各遅延処理ブロックに、送信側で実施されたデジタル放送のビットインタリーブの規則に従って、ＦＦＴのサンプルクロック毎に格納位置を切り替えて書き込む。次に、不図示の読出制御部は、送信側で実施されたデジタル放送の時間インタリーブの規則に従って、送信側で実施されたビットインタリーブを元に戻すように、ＦＦＴのサンプルクロック毎にビットデインタリーブ用メモリ６０に格納された受信データを各遅延処理ブロックの遅延時間に応じて順に読み出す。
【００３５】
図１のデパンクチュアード部７ａ、７ｂ７ｃは、階層分割されて各ビットデインターリーブ部６ａ、６ｂ、６ｃでビットデインターリーブされた受信データに対して、送信側で実施されたパンクチュアード処理の規則に従って、そのパンクチュアード処理を元に戻すように、ＦＦＴのサンプルクロック毎にデパンクチュアード処理を実施する。階層バッファ部８ａ、８ｂ、８ｃには、デパンクチュアード処理されることにより、送信側におけるパンクチュアード処理前の状態に戻された受信データが順に格納される。階層合成部９は、各階層毎のデータをＯＦＤＭフレーム毎のデータに合成してＴＳ再生部１０ａ、１０ｂに出力する。階層バッファ部８ａ、８ｂ、８ｃは、上記した地上デジタル放送受信装置における時間デインターリーブ用メモリ以外のメモリであり、ビットデインターリーブ用メモリ６０と同様に個々の容量が小さいため、ＬＳＩに内蔵可能なＳＲＡＭを使用するのが一般的である。
【００３６】
階層バッファ部８ａ、８ｂ、８ｃへの受信データの格納状態は監視されており、１パケット分のデータが入力された時点でスイッチＳ１が切り替えられ、階層合成部９を介して、ＴＳ再生部１０ａ、１０ｂ内のＴＳバッファ部１００ａ、１００ｂにデータが転送される。このデータ転送は瞬時に行われるものとする。階層合成部９とＴＳ再生部１０ａ、１０ｂとの間のスイッチＳ３は、階層合成部９から信号を入力するＴＳ再生部１０ａ、１０ｂの切り替えを行い、ＯＦＤＭフレームの先頭で交互に切り替えられる。ＴＳバッファ部１００ａ、１００ｂは、上記した地上デジタル放送受信装置における時間デインターリーブ用メモリ以外のメモリであり、ビットデインターリーブ用メモリ６０や階層バッファ部８ａ、８ｂ、８ｃと同様に個々の容量が小さいため、ＬＳＩに内蔵可能なＳＲＡＭを使用するのが一般的である。
【００３７】
図１のＴＳ再生部１０ａ、１０ｂは、ＯＦＤＭ信号の伝送パラメータの設定により単位時間に伝送できるＴＳＰの数が多様な値をとることから、ＴＳＰの配置が規定されている多重フレームを構成する際に適切な数のヌルパケットを補完するものである。こうすることで、伝送パラメータの設定によらず一定のクロックでＴＳを再生させることができる。また、多重フレーム中のＴＳＰ配置が規定されることで、ＴＳＰごとに複数の階層に分割されて伝送された信号から受信側で送信側と同じＴＳの再生を可能としている。ＴＳＰの配置はモデル受信機の動作で規定されており、受信側のＴＳ再生部１０ａ、１０ｂでは、モデル受信機と同等の動作をすることでＴＳＰの再生を行うことができる。
【００３８】
図１のモデル受信機に示されるＴＳ再生部１０ａ、１０ｂのＴＳバッファ部１００ａ、１００ｂには、階層バッファ部８ａ、８ｂ、８ｃに１ＴＳＰ分のデータが蓄積されるごとに１ＴＳＰデータが転送される。階層バッファ部８ａ、８ｂ、８ｃは上記したように最大３階層を有し、各階層バッファ部８ａ、８ｂ、８ｃへのデータの蓄積速度は一定ではなく、複数の階層のＴＳＰデータが同一のＴＳＰ時間内にＴＳバッファ部１００ａ、１００ｂへ転送される場合もある。
【００３９】
図１のＴＳ再生部１０ａ、１０ｂ内のＴＳ再生制御部１０２ａ、１０２ｂでは、１ＴＳＰ時間（４０８バイト時間。１ＴＳＰは２０４バイトであるが、畳み込み符号のマザーコードが１／２であるため、４０８バイトとなる。）毎にＴＳバッファ部１００ａ、１００ｂを監視し、１パケット以上のデータが蓄積された場合には、スイッチＳ２ａ、Ｓ２ｂをＴＳバッファ部１００ａ、１００ｂ側に切り替えて１パケット分のデータを読み出し、ＴＳバッファ部１００ａ、１００ｂにデータがない場合には、スイッチＳ２ａ、Ｓ２ｂをヌルＴＳＰ１０１ａ、１０１ｂ側に切り替えてヌルパケットを送出する。
【００４０】
また、階層バッファ部８ａ、８ｂ、８ｃからＴＳバッファ部１００ａ、１００ｂへＴＳＰデータが転送された時にヌルＴＳＰが出力中であることもある。このため、階層バッファ部８ａ、８ｂ、８ｃからＴＳバッファ部１００ａ、１００ｂにＴＳＰデータが転送された後、スイッチＳ２ａ、Ｓ２ｂを経由してそのＴＳＰデータが出力されるまでには、ＴＳＰ時間単位の待ち時間が発生する。ＴＳバッファ部１００ａ、１００ｂにおける出力待ちの間、ＴＳＰデータをＴＳバッファ部１００ａ、１００ｂに蓄積するため、ＴＳバッファ部１００ａ、１００ｂには相当な容量が必要となる。これは最大で１６ＴＳＰ分のデータ容量となることがわかっている。
【００４１】
図１のビタビ復号部１１は、再生されたＴＳに対してビタビ復号処理を実施するものである。スイッチＳ４は、信号を出力するＴＳ再生部１０ａ、１０ｂを切り替えてビタビ復号部１１に入力させる。スイッチＳ４は、スイッチＳ３の切り替えタイミング、すなわちＯＦＤＭフレームの先頭がＴＳ再生部１０ａ、１０ｂに入力されるタイミングより、３ＴＳＰ時間遅れてスイッチＳ３と同じ側に切り替えられる。
【００４２】
ＴＳバッファ部１００ａ、１００ｂにおける１ＴＳＰデータは４０８バイトで構成されるが、ＴＳバッファ部１００ａ、１００ｂはビタビ復号部１１の前段であるので、ビタビ復号の精度をあげるためには、１バイトのデータ幅を１６ビット以上にする必要があり、ＴＳバッファ部１００ａ、１００ｂの容量は前記したように１０４Ｋビット以上に増大されている。
【００４３】
本発明の実施の形態１は、上記した非特許文献１で多重化ストリーム中のパケットの配置を規定するモデル受信機の構成及び動作を前提として、読出制御部４２の読み出し制御内容を変更することにより高価なＬＳＩに内蔵されるＳＲＡＭ等により構成されるＴＳバッファ部１００ａ、１００ｂを不要にさせるものである。
【００４４】
図５は、本発明の実施の形態１の地上デジタル放送受信装置を示す図である。
図５に示した本実施の形態の地上デジタル放送受信装置が、図１に示したモデル受信機と構成上で主に異なる点は、ＴＳ再生部１０ａ、１０ｂの内部のＴＳバッファ部１００ａ、１００ｂが削除されている点と、ＴＳ再生制御部１０２ａ、１０２ｂ、および、階層バッファ部８ａ、８ｂ、８ｃからの制御信号の出力線が読み出し制御部４２ａに入力されるようになっている点である。図５の本実施の形態における他の構成は、図１に示したモデル受信機と同様である。
【００４５】
次に、本実施の形態の地上デジタル放送受信装置が図１に示したモデル受信機と動作上で主に相違する点について説明する。
上記したモデル受信機では、ＴＳ再生部１０ａ、１０ｂの内部のＴＳバッファ部１００ａ、１００ｂに各ＯＦＤＭシンボルのデータが蓄積されていたが、本実施の形態ではＴＳバッファ部１００ａ、１００ｂが削除されているので、モデル受信機でＴＳバッファ部１００ａ、１００ｂからＴＳ再生制御部１０２ａ、１０２ｂにデータが出力されるタイミングに相当するように、階層バッファ部８ａ、８ｂ、８ｃから階層合成部９にデータを出力させる必要がある。その処理のために本実施の形態では、読み出し制御部４２ａにより、時間デインタリーブ用メモリ４０から読み出すＴＳＰデータの選択と読み出しタイミングを制御する。
【００４６】
なお、上記したように階層バッファ部８ａ、８ｂ、８ｃのデータの階層合成部９を介した従来のＴＳバッファ部１００ａ、１００ｂへの転送は瞬時に行われるものであることから、階層バッファ部８ａ、８ｂ、８ｃからＴＳ再生制御部１０２ａ、１０２ｂへのデータの転送も瞬時に行われるものとする。
【００４７】
また、上記したモデル受信機の場合には、時間デインタリーブ用メモリ（ＤＲＡＭ）４０に蓄積されたデータは、時間デインタリーブ部４の読み出し制御部４２ａにより、各ＯＦＤＭシンボルのデータが、送信側で実施された時間インタリーブ処理の規則に従ってＦＦＴサンプルクロックごとに順に読み出されたが、本実施の形態の場合には、読み出し制御部４２ａにより、送信側で実施された時間インタリーブ処理の規則に従うと共に、ＴＳ再生制御部１０２ａ、１０２ｂ、および、階層バッファ部８ａ、８ｂ、８ｃからの制御信号に基づいて、任意の階層の１ＴＳＰデータがまとめて読み出される。
【００４８】
ＴＳ再生制御部１０２ａおよび１０２ｂからの制御信号は、ＴＳ再生部１０ａ、１０ｂにおいて予め算出される出力すべきＴＳＰの階層情報、および、順序情報である。本実施の形態の読み出し制御部４２ａでは、ＴＳ再生部１０ａ、１０ｂから出力すべきＴＳＰの階層および順序の情報を受信し、時間デインターリーブ用メモリ４０に格納されたＴＳＰデータの階層情報に基づいて、ＴＳ再生部１０ａ、１０ｂから指定された階層のＴＳＰデータを選択し、指定された順序で時間デインターリーブ用メモリ４０から読み出す。
【００４９】
つまり、本実施の形態における読出制御部４２ａの読み出し制御内容としては、大容量である時間デインタリーブ用メモリ４０から読み出すデータを、後段に設けられたＴＳ再生制御部１０２ａ、１０２ｂの処理内容に基づいて選択し、そのＴＳ再生制御部１０２ａ、１０２ｂにおいて選択された受信データに処理が実施されるタイミングに適切なデータの読み出しタイミングを予め演算し、選択された受信データを演算されたタイミングで、時間デインタリーブ用メモリ４０から、ＴＳ再生制御部１０２ａ、１０２ｂで処理する任意階層の１ＴＳＰ分のデータをまとめて読み出すことになる。
【００５０】
時間デインタリーブ部４から読み出されたＴＳＰデータは、ＴＳＰの階層ごとにビットデインタリーブ部６ａ、６ｂ、６ｃのいずれかに出力される。ビットデインタリーブ部６ａ、６ｂ、６ｃでビットデインタリーブ処理されたデータは、デパンクチュアード部７ａ、７ｂ、７ｃに出力され、各階層の符号化率にしたがってデパンクチュアード処理される。デパンクチャード処理後の各階層ごとの１ＴＳＰ分のデータは、階層バッファ部８ａ、８ｂ、８ｃに蓄積される。
【００５１】
階層バッファ部８ａ、８ｂ、８ｃに１ＴＳＰ分のデータが蓄積された場合、その旨が制御信号として読み出し制御部４２ａに出力される。すると、読み出し制御部４２ａでは、その階層のＴＳＰデータの読み出しを終了させ、次に読み出す階層のＴＳＰデータの読み出しに備える。また、階層バッファ部８ａ、８ｂ、８ｃに蓄積された１ＴＳＰ分のデータは、ＴＳ再生部１０ａ、１０ｂからのデータ出力速度に対応させて１バイトづつ、スイッチＳ１を経由して階層合成部９に出力される。
【００５２】
上記したように読み出し制御部４２ａにより時間デインタリーブ用メモリ４０からのＴＳＰデータの読み出しを制御することで、ＴＳ再生部１０ａ、１０ｂでは、階層バッファ部８ａ、８ｂ、８ｃから受信したＴＳＰデータからＴＳを再生するために、各ＴＳＰデータを出力待ちさせる必要が無くなる。つまり、本実施の形態の地上デジタル放送受信装置では、ＴＳ再生部１０ａ、１０ｂ内に各ＴＳＰデータを出力待ちさせるために設けられていたＴＳバッファ部１００ａ、１００ｂが不要になり削除することができる。
【００５３】
本実施の形態では、従来のＴＳバッファ部１００ａ、１００ｂの出力待ちの機能を時間デインタリーブ用メモリ４０に代行させるようにしているので、ＴＳバッファ部１００ａ、１００ｂを不要にしてＬＳＩのＳＲＡＭ等の高価なメモリを削減できるが、その一方で、時間デインタリーブ用メモリ４０は、従来よりも蓄積時間が長くなり、容量を増加させなければならない可能性を有している。しかし、時間デインタリーブ用メモリ４０としては、上記したように安価なＤＲＡＭを用いて構成されるため、一般的にその記憶容量については時間デインタリーブ処理に対して十分に余裕を持つものが使用され、従って多くの未使用領域を有していることが多い。従って、本実施の形態の時間デインタリーブ用メモリ４０に用いられるＤＲＡＭの容量は、従来のＴＳバッファ部の処理に対応させる容量としてこの未使用領域を利用させることにすれば、変更する必要が無いことになる。
【００５４】
このように本実施の形態では、読出制御部４２ａにより、時間デインタリーブ用メモリ４０から任意階層の１ＴＳＰデータを１ＴＳＰ分まとめて、ＴＳ再生制御部１０２ａ、１０２ｂでその１ＴＳＰデータが処理されるタイミングに適切なデータの読み出しタイミングを予め演算して読み出すようにしたので、ＴＳバッファ部１００ａ、１００ｂを不要として、高価なＬＳＩに内蔵されるＳＲＡＭ等のメモリの使用量を減少させることができ、ＬＳＩ等の回路規模を縮小させてコストダウンでき、消費電力も抑制することができる。
【００５５】
実施の形態２．
図６は、本発明の実施の形態２の地上デジタル放送受信装置を示す図である。
図６に示した本実施の形態の地上デジタル放送受信装置が、図５に示した実施の形態１の地上デジタル放送受信装置と構成上で主に異なる点は、階層バッファ部８ａ、８ｂ、８ｃおよび階層バッファ部８ａ、８ｂ、８ｃから読み出し制御部４２ｂに入力する制御信号の出力線が削除されている点と、デパンクチュアード部７ａ、７ｂ、７ｃからの制御信号の出力線が読み出し制御部４２ｂに入力されるようになっている点である。図６の本実施の形態における他の構成は、図５に示した実施の形態１の地上デジタル放送受信装置と同様である。
【００５６】
次に、本実施の形態の地上デジタル放送受信装置が図５に示した実施の形態１の地上デジタル放送受信装置と動作上で主に相違する点について説明する。
上記した実施の形態１の地上デジタル放送受信装置では、デパンクチュアード部７ａ、７ｂ、７ｃで、階層ごとに指定される符号化率に従ってデパンクチュアード処理された１ＴＳＰ分のデータが、階層バッファ部８ａ、８ｂ、８ｃに蓄積されていたが、本実施の形態では階層バッファ部８ａ、８ｂ、８ｃが削除されているので、実施の形態１で階層バッファ部８ａ、８ｂ、８ｃから階層合成部９にデータが出力されるタイミングに相当するように、デパンクチュアード部７ａ、７ｂ、７ｃから階層合成部９にデータを出力させる必要がある。その処理のために本実施の形態では、読み出し制御部４２ｂにより、時間デインタリーブ用メモリ４０から読み出すＴＳＰデータの選択と読み出しタイミングを制御する。
【００５７】
なお、上記したように階層バッファ部８ａ、８ｂ、８ｃのデータの階層合成部９を介したＴＳ再生制御部１０２ａ、１０２ｂへのへの転送は瞬時に行われるものであることから、デパンクチュアード部７ａ、７ｂ、７ｃからＴＳ再生制御部１０２ａ、１０２ｂへのデータの転送も瞬時に行われるものとする。
【００５８】
デパンクチュアード部７ａ、７ｂ、７ｃのデパンクチュアード処理は、例えば、送信側で所定の符号化率に従ってビット数が変換された信号を、その符号化率に基づいて元のビット数に戻す処理であるので、入力される信号と出力される信号のデータ量比は１：１にはならない。上記した非特許文献１の地上デジタル放送規格における符号化率は、１／２、３／２、３／４、５／６、７／８の中から選択される。例えば、符号化率が３／４である場合、４ビットのデータがデパンクチュアード部８ａに入力されると、デパンクチュアード処理後には６ビットが出力されることになる。
【００５９】
このデパンクチュアード部７ａ、７ｂ、７ｃの入力信号と出力信号のデータ量比が１：１ではないことから、デパンクチュアード部から１ＴＳＰ分のデータを出力するのに必要となるクロック数も、上記した符号化率によって異なっており、従って、デパンクチュアード部から１ＴＳＰ分のデータを出力するために必要な時間も符号化率によって異なっている。一方、階層合成部９は、ＴＳ再生部１０ａ、１０ｂに対して、１ＴＳＰ分のデータを一定の時間（ＦＦＴサンプルクロックの４０８クロック時間）で出力する必要がある。
【００６０】
従来は、その出力時間の違いを吸収させるために階層バッファ部８ａ、８ｂ、９ｃが設けられ、１ＴＳＰ分のデータを階層バッファ部８ａ、８ｂ、９ｃに一旦蓄積することで、蓄積後に一定時間でＴＳ再生部１０ａ、１０ｂに出力できるようにしていたが、本実施の形態では、符号化率に応じて、時間デインタリーブ部４からデータを読み出すタイミングを制御する必要がある。
【００６１】
デパンクチュアード部７ａ、７ｂ、７ｃから読み出し制御部４２ｂへの制御信号の出力は、読み出されてデパンクチュアード部７ａ、７ｂ、７ｃの何れかで処理されるＴＳＰのその階層に応じた符号化率である。この処理されるＴＳＰの符号化率を読み出し制御部４２ｂに出力することで、読み出し制御部４２ｂは、時間デインタリーブ用メモリ４０から読み出すＴＳＰの階層の符号化率に従って、データの読み出しタイミングを制御することが可能になる。
【００６２】
本実施の形態の読み出し制御部４２ｂでは、上記したように符号化率に従って時間デインタリーブ用メモリ４０からＴＳＰを読み出すタイミングを制御することで、デパンクチュアード部７ａ、７ｂ、７ｃから出力されるデータの出力速度が一定の速度となるように制御できる。これは、上記したように階層合成部９からＴＳ再生部１０ａ、１０ｂに１ＴＳＰ分のデータを一定時間で出力する必要があることにも対応できることから、本実施の形態では、デパンクチュアード部７ａ、７ｂ、７ｃからの出力とＴＳ再生部１０ａ、１０ｂの出力速度とを一致させることができることになる。
【００６３】
本発明における読出制御部４２ｂの読み出し制御内容としては、例えば、大容量である時間デインタリーブ用メモリ４０から読み出すデータを、後段に設けられたＴＳ再生制御部１０２ａ、１０２ｂ及びデパンクチュアード部７ａ、７ｂ、７ｃの処理内容に基づいて選択し、符号化率を用いてそのデパンクチュアード部７ａ、７ｂ、７ｃにおいて選択された受信データに処理が実施された後のデータ出力タイミングに適切なデータの読み出しタイミングを予め演算し、選択された受信データを演算されたタイミングで時間デインタリーブ用メモリ４０から、ＴＳ再生制御部１０２ａ、１０２ｂで処理する任意階層の１ＴＳＰ分のデータをまとめて読み出すように制御する。
【００６４】
このように本実施の形態では、読出制御部４２ｂにより、時間デインタリーブ用メモリ４０から任意階層の１ＴＳＰデータを１ＴＳＰ分まとめて、符号化率に応じてデパンクチュアード部７ａ、７ｂ、７ｃでその１ＴＳＰデータが処理されるタイミングに適切なデータの読み出しタイミングを予め演算して読み出すようにしたので、ＴＳバッファ部１００ａ、１００ｂのみでなく階層バッファ部８ａ、８ｂ、８ｃも不要にでき、実施の形態１よりもさらに、高価なＬＳＩに内蔵されるＳＲＡＭ等のメモリの使用量を減少させることができ、ＬＳＩ等の回路規模を縮小させてコストダウンでき、消費電力も抑制することができる。
【００６５】
実施の形態３．
図７は、本発明の実施の形態３の地上デジタル放送受信装置を示す図である。
図７に示した本実施の形態の地上デジタル放送受信装置が、図６に示した実施の形態２の地上デジタル放送受信装置と構成上で主に異なる点は、ビットデインターリーブ用メモリ６０が削除されている点と、ビットデインタリーブ部６ａ、６ｂ、６ｃからの制御信号の出力線が読み出し制御部４２ｃに入力されるようになっている点である。図７の本実施の形態における他の構成は、図６に示した実施の形態２の地上デジタル放送受信装置と同様である。
【００６６】
次に、本実施の形態の地上デジタル放送受信装置が図６に示した実施の形態２の地上デジタル放送受信装置と動作上で主に相違する点について説明する。
上記した実施の形態１および２の地上デジタル放送受信装置では、ビットデインタリーブ部６ａ、６ｂ、６ｃで、受信データの各ビットｂ０〜ｂ５を、ビットデインタリーブ用メモリ６０の各遅延処理ブロックに、ビットインタリーブの規則に従って書き込み、遅延時間に応じて順に読み出していたが、本実施の形態ではビットデインタリーブ用メモリ６０が削除されているので、実施の形態１および２でビットデインタリーブ部６ａ、６ｂ、６ｃの各遅延時間に応じて順に読み出されたデータがデパンクチュアード部７ａ、７ｂ、７ｃに出力されるタイミングに相当するように、ビットデインタリーブ部６ａ、６ｂ、６ｃで遅延されないデータをデパンクチュアード部７ａ、７ｂ、７ｃに出力させる必要がある。その処理のために本実施の形態では、読み出し制御部４２ｃにより、時間デインタリーブ用メモリ４０から読み出すＴＳＰデータの選択と読み出しタイミングをビット毎に制御する。
【００６７】
地上デジタル放送受信装置におけるビットデインタリーブ処理は、図４に示したように時間デインタリーブ部４から出力されるパラレルデータのビット番号ごとに遅延量をかえたディレイラインにデータを入力し、ディレイラインの出力を再度パラレルデータとして出力するものである。また、前記したようにビットデインタリーブ部６ａ、６ｂ、６ｃの入出力間の遅延時間は、ビットデインタリーブ部６ａ、６ｂ、６ｃに入力されるデータのビット番号ごとに異なっている。
【００６８】
本実施の形態では、時間デインタリーブ用メモリ４０から、ＴＳ再生制御部１０２ａ、１０２ｂで処理する任意階層の１ＴＳＰ分のデータを、上記下実施の形態１及び２のようにまとめて読み出さず、ビット番号ごとのビットデータとして扱い、ビット番号ごとにビットデインタリーブに相当する遅延を与えたデータを読み出すようにするものである。
【００６９】
そのためにビットデインタリーブ部６ａ、６ｂ、６ｃから読み出し制御部４２ｃへの制御信号としては、読み出し制御部４２ｃが読み出して各ビットデインタリーブ部６ａ、６ｂ、６ｃで処理されるＴＳＰの各階層の変調方式が送出される。これは、上記したようにビットデインタリーブ部６ａ、６ｂ、６ｃにおけるディレイラインの構成と容量は変調方式によって異なっているためである。読み出し制御部４２は、受信した変調方式に応じて、ビット毎に、時間デインタリーブ用メモリ４０から読み出すまでの遅延時間を変えながらデータを読み出して出力する。
【００７０】
本発明における読出制御部４２ｃの読み出し制御内容としては、例えば、大容量である時間デインタリーブ用メモリ４０から読み出すデータを、後段に設けられたＴＳ再生制御部１０２ａ、１０２ｂ、デパンクチュアード部７ａ、７ｂ、７ｃ及びビットデインタリーブ部６ａ、６ｂ、６ｃの処理内容に基づいて選択し、符号化率を用いてそのデパンクチュアード部７ａ、７ｂ、７ｃにおいて選択された受信データに処理が実施された後のデータ出力タイミングに適切なデータの読み出しタイミングの演算に加えて、さらに、ビットデインタリーブ部６ａ、６ｂ、６ｃの各遅延時間に応じたビット毎のタイミングを予め演算し、選択された受信データを演算されたタイミングで時間デインタリーブ用メモリ４０から、ＴＳ再生制御部１０２ａ、１０２ｂで処理する任意階層の１ＴＳＰ分のデータをビット毎に読み出すように制御する。
【００７１】
このように本実施の形態では、読出制御部４２ｃにより、時間デインタリーブ用メモリ４０から任意階層の１ＴＳＰデータをビット毎に、符号化率に応じてデパンクチュアード部７ａ、７ｂ、７ｃでその１ＴＳＰデータが処理されるタイミングで、さらに、ビットデインタリーブ部６ａ、６ｂ、６ｃの各遅延時間に応じたビット毎のタイミングに適切なデータの読み出しタイミングを予め演算して読み出すようにしたので、ＴＳバッファ部１００ａ、１００ｂ、階層バッファ部８ａ、８ｂ、８ｃに加えてビットインターリーブ用メモリ６０も不要にでき、実施の形態２よりもさらに、高価なＬＳＩに内蔵されるＳＲＡＭ等のメモリの使用量を減少させることができ、ＬＳＩ等の回路規模を縮小させてコストダウンでき、消費電力も抑制することができる。
【００７２】
本発明は上記した各実施の形態に限られるものではなく、例えば、ＤＲＡＭ等の比較的大容量のメモリを用いて時間デインターリーブ処理を実施した後に、ＬＳＩ等に内蔵されるＳＲＡＭ等の比較的小規模なメモリを用いてデータの組み替えあるいは入出力タイミング調整等を含むデータ処理を実施して復号するデジタル放送受信装置であれば本発明を容易に適用することができる。
【図面の簡単な説明】
【００７３】
【図１】非特許文献１に示された多重化ストリーム中のパケットの配置を規定するモデル受信機の構成を示すブロック図である。
【図２】（ａ）、（ｂ）は時間デインターリーブ部の一例の概略構成を示すブロック図である。
【図３】地上デジタル放送のＯＦＤＭシンボルの一例の構成を示す図である。
【図４】ビットデインターリーブ部の一例の概略構成を示すブロック図である。
【図５】本発明の実施の形態１の地上デジタル放送受信装置を示す図である。
【図６】本発明の実施の形態２の地上デジタル放送受信装置を示す図である。
【図７】本発明の実施の形態３の地上デジタル放送受信装置を示す図である。
【符号の説明】
【００７４】
１  ＦＦＴ部、  ２  差動／同期復調部、  ３  周波数デインタリーブ部、  ４  時間デインタリーブ部、  ４０  時間デインタリーブ用メモリ、  ４１  書き込み制御部、  ４２、４２ａ、４２ｂ、４２ｃ  書き込み制御部、  ５  階層分割部、  ６ａ、６ｂ、６ｃ  ビットデインタリーブ部、  ６０  ビットデインタリーブ用メモリ、  ７ａ、７ｂ、７ｃ  デパンクチュアード部、  ８ａ、８ｂ、８ｃ  階層バッファ、  ９  階層合成部、  １０ａ、１０ｂ  ＴＳ再生部、  １００ａ、１００ｂ  ＴＳバッファ部、  １０１ａ、１０１ｂ  ヌルＴＳＰ部、  １０２ａ、１０２ｂ  ＴＳ再生制御部、  １１  ビタビ復号部、  Ｓ１、Ｓ２ａ、Ｓ２ｂ、Ｓ３、Ｓ４  スイッチ。
【図１】
2005318374.tif 000003
【図２】
2005318374.tif 000004
【図３】
2005318374.tif 000005
【図４】
2005318374.tif 000006
【図５】
2005318374.tif 000007
【図６】
2005318374.tif 000008
【図７】
2005318374.tif 000009